【事件の表示】
　特願２０１３−１９２７５７「ファイル記憶システム及びファイル記憶方法」拒絶査定不服審判事件〔平成２６年　２月　６日出願公開、特開２０１４−　２７６７５〕について、次のとおり審決する。
【結　論】
　本件審判の請求は、成り立たない。
【理　由】
第１　経緯
１　経緯
　本件出願は、平成２１年４月１日に出願した特願２００９−８８９５８号の一部を平成２５年９月１８日に新たな出願としたものであって、平成２６年６月６日付けで拒絶理由の通知がなされ、これに対し、平成２６年８月１日付けで手続補正がなされたが、平成２６年１０月１５日付け（発送日同年１０月２８日）で拒絶査定がなされた。
　本件は、上記拒絶査定を不服として平成２７年１月２３日付けで請求された拒絶査定不服審判であって、請求と同時に手続補正がなされた。
　　
２　査定の概要
　原査定の理由は、概略、次のとおりである。
　　
［査定の理由］
　請求項１〜１２に係る発明は、下記の刊行物に記載された発明に基いて、当業者が容易に発明をすることができたものであるから、特許法第２９条第２項の規定により特許を受けることができない。
　　　　　　　　　　　　　　　記
　引用文献１：特開２００２−２０９１３１号公報
　引用文献２：特開２００５−２２３７９５号公報
　引用文献３：特開２００８−３１１７２５号公報（周知技術）
　引用文献４：特開２００８−１０４１４７号公報（周知技術）
　　
第２　補正却下の決定
　平成２７年１月２３日付けの手続補正について次のとおり決定する。
 　 
［補正却下の決定の結論］
　平成２７年１月２３日付けの手続補正を却下する。
　　
［理由］
１　補正の内容
　平成２７年１月２３日付けの手続補正（以下「本件補正」という。）は、特許請求の範囲についてする補正を含む補正である。
　　
　補正前の請求項１〜１２
「　【請求項１】
　画像の撮影を行う撮像部を備えた端末と、前記端末と通信を行うサーバーとを有するファイル記憶システムであって、
　前記端末は、前記撮像部によって撮影された画像を一意に識別する識別情報として、前記撮像部によって撮影された画像の撮影年月日及び時刻と前記端末を識別する情報とを組み合わせた情報を生成し、さらに、当該画像を示す画像ファイルに基づき、当該画像ファイルよりもファイルサイズの小さな小容量情報を示す小容量情報ファイルを生成し、該生成された小容量情報ファイルと、前記識別情報とを対応付けて記憶するとともに、前記画像ファイルと前記識別情報とを前記サーバーへ送信し、その後、前記小容量情報の選択を受け付けると、該選択された前記小容量情報を示す小容量情報ファイルと対応する前記識別情報を前記サーバーへ送信し、
　前記サーバーは、前記端末から送信された前記画像ファイルと前記識別情報とを受信すると、該受信した前記画像ファイルと前記識別情報とを対応付けて記憶し、その後、前記端末から送信された前記識別情報を受信すると、該受信した前記識別情報に対応する前記画像ファイルを当該端末へ送信し、
　前記端末と前記サーバーとの間の通信が赤外線通信である、ファイル記憶システム。
　　【請求項２】
　画像の撮影を行う撮像部を備えた端末と、前記端末と通信を行うサーバーとを有するファイル記憶システムであって、
　前記端末は、前記撮像部によって撮影された画像を一意に識別する識別情報を生成し、さらに、当該画像を示す画像ファイルに基づき、当該画像ファイルよりもファイルサイズの小さな小容量情報を示す小容量情報ファイルを生成し、該生成された小容量情報ファイルと、前記識別情報とを対応付けて記憶するとともに、前記画像ファイルと前記識別情報とを前記サーバーへ送信し、その後、前記小容量情報の選択を受け付けると、該選択された前記小容量情報を示す小容量情報ファイルと対応する前記識別情報を前記サーバーへ送信し、
　前記サーバーは、前記端末から送信された前記画像ファイルと前記識別情報とを受信すると、該受信した前記画像ファイルと前記識別情報とを対応付けて記憶し、その後、前記端末から送信された前記識別情報を受信すると、該受信した前記識別情報に対応する前記画像ファイルを当該端末へ送信し、
　前記端末は、前記撮像部によって撮影された画像の画像名の入力を受け付け、該受け付けた画像名と当該端末を識別する情報との組み合わせを前記識別情報とし、
　前記端末と前記サーバーとの間の通信が赤外線通信である、ファイル記憶システム。
　　【請求項３】
　請求項１または２に記載のファイル記憶システムにおいて、
　前記小容量情報は、前記撮像部によって撮影された画像のサムネイル画像であるファイル記憶システム。
　　【請求項４】
　請求項３に記載のファイル記憶システムにおいて、
　前記サムネイル画像は、前記撮像部によって撮影された画像が動画像である場合、当該動画像よりも単位時間当たりの画面の更新回数を少なくした動画像であるファイル記憶システム。
　　【請求項５】
　請求項３に記載のファイル記憶システムにおいて、
　前記サムネイル画像は、前記撮像部によって撮影された画像が動画像である場合、当該動画像の最初の画像を示す静止画像であるファイル記憶システム。
　　【請求項６】
　請求項３に記載のファイル記憶システムにおいて、
　前記サムネイル画像は、前記撮像部によって撮影された画像が動画像である場合、当該動画像の表示サイズを小さくした動画像であるファイル記憶システム。
　　【請求項７】
　画像の撮影を行う撮像部を備えた端末と、前記端末と通信を行うサーバーとを有するファイル記憶システムにおけるファイル記憶方法であって、
　前記端末が、前記撮像部によって撮影された画像を一意に識別する識別情報として、前記撮像部によって撮影された画像の撮影年月日及び時刻と前記端末を識別する情報とを組み合わせた情報を生成する処理と、
　前記端末が、当該画像を示す画像ファイルに基づき、前記識別情報と対応付けられ、当該画像ファイルよりもファイルサイズの小さな小容量情報を示す小容量情報ファイルを生成する処理と、
　前記端末が、前記画像ファイルと前記識別情報とを前記サーバーへ送信する処理と、
　前記サーバーが、前記端末から送信された前記画像ファイルと前記識別情報とを受信すると、該受信した前記画像ファイルと前記識別情報とを対応付けて記憶する処理と、
　前記端末が、前記小容量情報の選択を受け付ける処理と、
　前記端末が、前記選択された前記小容量情報を示す小容量情報ファイルと対応する前記識別情報を前記サーバーへ送信する処理と、
　前記サーバーが、前記端末から送信された前記識別情報を受信すると、該受信した識別情報に対応する前記画像ファイルを当該端末へ送信する処理と、を有し、
　前記端末と前記サーバーとの間の通信が赤外線通信である、ファイル記憶方法。
　　【請求項８】
　画像の撮影を行う撮像部を備えた端末と、前記端末と通信を行うサーバーとを有するファイル記憶システムにおけるファイル記憶方法であって、
　前記端末が、前記撮像部によって撮影された画像の画像名の入力を受け付ける処理と、
　前記端末が、前記撮像部によって撮影された画像を一意に識別する識別情報として、前記受け付けた画像名と当該端末を識別する情報とを組み合わせた情報を生成する処理と、
　前記端末が、当該画像を示す画像ファイルに基づき、前記識別情報と対応付けられ、当該画像ファイルよりもファイルサイズの小さな小容量情報を示す小容量情報ファイルを生成する処理と、
　前記端末が、前記画像ファイルと前記識別情報とを前記サーバーへ送信する処理と、
　前記サーバーが、前記端末から送信された前記画像ファイルと前記識別情報とを受信すると、該受信した前記画像ファイルと前記識別情報とを対応付けて記憶する処理と、
　前記端末が、前記小容量情報の選択を受け付ける処理と、
　前記端末が、前記選択された前記小容量情報を示す小容量情報ファイルと対応する前記識別情報を前記サーバーへ送信する処理と、
　前記サーバーが、前記端末から送信された前記識別情報を受信すると、該受信した識別情報に対応する前記画像ファイルを当該端末へ送信する処理と、を有し、
　前記端末と前記サーバーとの間の通信が赤外線通信である、ファイル記憶方法。
　　【請求項９】
　請求項７または８に記載のファイル記憶方法において、
　前記小容量情報は、前記撮像部によって撮影された画像のサムネイル画像であるファイル記憶方法。
　　【請求項１０】
　請求項９に記載のファイル記憶方法において、
　前記サムネイル画像は、前記撮像部によって撮影された画像が動画像である場合、当該動画像よりも単位時間当たりの画面の更新回数を少なくした動画像であるファイル記憶方法。
　　【請求項１１】
　請求項９に記載のファイル記憶方法において、
　前記サムネイル画像は、前記撮像部によって撮影された画像が動画像である場合、当該動画像の最初の画面を示す静止画像であるファイル記憶方法。
　　【請求項１２】
　請求項９に記載のファイル記憶方法において、
　前記サムネイル画像は、前記撮像部によって撮影された画像が動画像である場合、当該動画像の表示サイズを小さくした動画像であるファイル記憶方法。」
　　
を、次のとおり補正後の請求項１〜４に補正するものである。
　　
「　【請求項１】
　画像の撮影を行う撮像部を備えた端末と、前記端末と通信を行うサーバーとを有するファイル記憶システムであって、
　前記端末は、
情報を一時的に記憶する一時記憶部に前記撮像部によって撮影された前記画像の画像ファイルが記憶されたことを検知した場合に、前記一時記憶部から前記画像ファイルを取得し、
前記
前記
前記一時記憶部から取得した
のサムネイル画像のサムネイル画像
前記一時記憶部から取得した前記画像ファイルの前記画像が動画像である場合は、当該動画像よりも単位時間当たりの画面の更新回数を少なくした動画像、当該動画像の最初の画像を示す静止画像、当該動画像の表示サイズを小さくした動画像、をサムネイル画像とした前記サムネイル画像ファイルを生成し、
サムネイル画像
記憶部に
前記一時記憶部から取得した
前記サムネイル画像
該選択された前記サムネイル画像の前記サムネイル画像ファイル
付けられた
　前記サーバーは、前記端末から送信された前記画像ファイルと前記識別情報とを受信すると、該受信した前記画像ファイルと前記識別情報とを対応付けて記憶し、その後、前記端末から送信された前記識別情報を受信すると、該受信した前記識別情報に対応する前記画像ファイルを当該端末へ送信し、
　前記端末と前記サーバーとの間の通信が赤外線通信である、ファイル記憶システム。
　　【請求項２】
　画像の撮影を行う撮像部を備えた端末と、前記端末と通信を行うサーバーとを有するファイル記憶システムであって、
　前記端末は、
情報を一時的に記憶する一時記憶部に前記撮像部によって撮影された前記画像の画像ファイルが記憶されたことを検知した場合に、前記一時記憶部から前記画像ファイルを取得し、
前記
前記一時記憶部から取得した前記
のサムネイル画像のサムネイル画像
前記一時記憶部から取得した前記画像ファイルの前記画像が動画像である場合は、当該動画像よりも単位時間当たりの画面の更新回数を少なくした動画像、当該動画像の最初の画像を示す静止画像、当該動画像の表示サイズを小さくした動画像、をサムネイル画像とした前記サムネイル画像ファイルを生成し、
サムネイル画像
記憶部に
前記一時記憶部から取得した
前記サムネイル画像
前記サムネイル画像の前記サムネイル画像ファイル
付けられた
　前記サーバーは、前記端末から送信された前記画像ファイルと前記識別情報とを受信すると、該受信した前記画像ファイルと前記識別情報とを対応付けて記憶し、その後、前記端末から送信された前記識別情報を受信すると、該受信した前記識別情報に対応する前記画像ファイルを当該端末へ送信し、
　前記端末は、前記撮像部によって撮影された画像の画像名の入力を受け付け、該受け付けた画像名と当該端末を識別する情報との組み合わせを前記識別情報とし、
　前記端末と前記サーバーとの間の通信が赤外線通信である、ファイル記憶システム。
　　【請求項３】
　画像の撮影を行う撮像部を備えた端末と、前記端末と通信を行うサーバーとを有するファイル記憶システムにおけるファイル記憶方法であって、
　前記端末が、
情報を一時的に記憶する一時記憶部に前記撮像部によって撮影された前記画像の画像ファイルが記憶されたことを検知した場合に、前記一時記憶部から前記画像ファイルを取得し、
前記
前記
　前記端末が、
前記一時記憶部から取得した前記
のサムネイル画像のサムネイル画像ファイルを生成し、前記一時記憶部から取得した前記画像ファイルの前記画像が動画像である場合は、当該動画像よりも単位時間当たりの画面の更新回数を少なくした動画像、当該動画像の最初の画像を示す静止画像、当該動画像の表示サイズを小さくした動画像、をサムネイル画像とした前記サムネイル画像ファイルを生成し、該生成されたサムネイル画像ファイルと、前記識別情報とを対応付けて記憶部に記憶
　前記端末が、
前記一時記憶部から取得した
　前記サーバーが、前記端末から送信された前記画像ファイルと前記識別情報とを受信すると、該受信した前記画像ファイルと前記識別情報とを対応付けて記憶する処理と、
　前記端末が、
前記サムネイル画像
　前記端末が、前記選択された
前記サムネイル画像の前記サムネイル画像ファイル
付けられた
　前記サーバーが、前記端末から送信された前記識別情報を受信すると、該受信した識別情報に対応する前記画像ファイルを当該端末へ送信する処理と、を有し、
　前記端末と前記サーバーとの間の通信が赤外線通信である、ファイル記憶方法。
　　【請求項４】
　画像の撮影を行う撮像部を備えた端末と、前記端末と通信を行うサーバーとを有するファイル記憶システムにおけるファイル記憶方法であって、
　前記端末が、前記撮像部によって撮影された前記画像の画像名の入力を受け付ける処理と、
　前記端末が、
情報を一時的に記憶する一時記憶部に前記撮像部によって撮影された前記画像の画像ファイルが記憶されたことを検知した場合に、前記一時記憶部から前記画像ファイルを取得し、
前記
　前記端末が、
前記一時記憶部から取得した
、
のサムネイル画像のサムネイル画像ファイルを生成し、前記一時記憶部から取得した前記画像ファイルの前記画像が動画像である場合は、当該動画像よりも単位時間当たりの画面の更新回数を少なくした動画像、当該動画像の最初の画像を示す静止画像、当該動画像の表示サイズを小さくした動画像、をサムネイル画像とした前記サムネイル画像ファイルを生成し、該生成されたサムネイル画像ファイルと、前記識別情報とを対応付けて記憶部に記憶す
　前記端末が、
前記一時記憶部から取得した
　前記サーバーが、前記端末から送信された前記画像ファイルと前記識別情報とを受信すると、該受信した前記画像ファイルと前記識別情報とを対応付けて記憶する処理と、
　前記端末が、
前記サムネイル画像
　前記端末が、前記選択された
前記サムネイル画像の前記サムネイル画像ファイル
付けられた
　前記サーバーが、前記端末から送信された前記識別情報を受信すると、該受信した識別情報に対応する前記画像ファイルを当該端末へ送信する処理と、を有し、
　前記端末と前記サーバーとの間の通信が赤外線通信である、ファイル記憶方法。」
　　
２　補正の適合性 
（１）補正の目的 
　本件補正は、請求項１における「画像ファイル」が一時記憶部に記憶されること、「小容量情報ファイル」がサムネイル画像のサムネイル画像ファイルであることを限定するものであり、請求項２、請求項７、請求項８も同様に限定するものであるから、特許請求の範囲の減縮を目的とするものと認められる。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１〜４に係る発明のうち請求項１に係る発明は、次のとおりのものである（この発明を以下「補正後発明」という。）。
　　
（補正後発明）
（Ａ）画像の撮影を行う撮像部を備えた端末と、前記端末と通信を行うサーバーとを有するファイル記憶システムであって、
（Ｂ１）前記端末は、情報を一時的に記憶する一時記憶部に前記撮像部によって撮影された前記画像の画像ファイルが記憶されたことを検知した場合に、前記一時記憶部から前記画像ファイルを取得し、前記撮像部によって撮影された前記画像を一意に識別する識別情報として、前記撮像部によって撮影された前記画像の撮影年月日及び時刻と前記端末を識別する情報とを組み合わせた情報を生成し、
（Ｂ２）さらに、前記一時記憶部から取得した前記画像ファイルに基づき、当該画像ファイルよりもファイルサイズの小さな小容量情報のサムネイル画像のサムネイル画像ファイルを生成し、前記一時記憶部から取得した前記画像ファイルの前記画像が動画像である場合は、当該動画像よりも単位時間当たりの画面の更新回数を少なくした動画像、当該動画像の最初の画像を示す静止画像、当該動画像の表示サイズを小さくした動画像、をサムネイル画像とした前記サムネイル画像ファイルを生成し、該生成されたサムネイル画像ファイルと、前記識別情報とを対応付けて記憶部に記憶するとともに、
（Ｂ３）前記一時記憶部から取得した前記画像ファイルと前記識別情報とを前記サーバーへ送信し、
（Ｂ４）その後、前記サムネイル画像の選択を受け付けると、該選択された前記サムネイル画像の前記サムネイル画像ファイルと対応付けられた前記識別情報を前記サーバーへ送信し、
（Ｃ１）前記サーバーは、前記端末から送信された前記画像ファイルと前記識別情報とを受信すると、該受信した前記画像ファイルと前記識別情報とを対応付けて記憶し、
（Ｃ２）その後、前記端末から送信された前記識別情報を受信すると、該受信した前記識別情報に対応する前記画像ファイルを当該端末へ送信し、
（Ｄ）前記端末と前記サーバーとの間の通信が赤外線通信である、
（Ｅ）ファイル記憶システム。
　　
（（Ａ）〜（Ｅ）は当審で付与した。以下各構成要件を「構成要件Ａ」等という。）
 　 
（４）刊行物の記載及び刊行物に記載された発明
ア　刊行物１
（ア）刊行物１の記載
　原査定の拒絶の理由に引用された特開２００２−２０９１３１号公報（上記引用文献１、以下「刊行物１」という。）には、「電子カメラおよび画像システム」（発明の名称）に関し、図面と共に次に掲げる事項が記載されている（下線は当審で付与した。）。
　　
「【０００１】
【発明の属する技術分野】本発明は電子カメラおよび
画像システム
撮像した画像データを通信手段により外部の画像データベースに伝送して保存する
　　
「【０００７】そこで本発明は、
撮像した画像データを通信により外部の画像データベースに送信保存する
画像システム
　　
「【００１４】
【発明の実施の形態】以下、図面を参照して本発明の実施形態について説明する。図１は、本発明を適用した
電子カメラと画像データを保存する外部の画像データベースから構成される
画像システム
【００１５】このような構成において、電子カメラ１００により撮影された画像データは、無線携帯電話回線１１０、無線基地局１２０、一般公衆電話回線１３０を経由し、パソコン１４０、画像データベース１５０、画像データベース１６０に保存される。また逆にパソコン１４０、画像データベース１５０、画像データベース１６０に保存された画像データは、一般公衆電話回線１３０、無線基地局１２０、無線携帯電話回線１１０を経由し、電子カメラ１００に送られて表示される。
【００１６】図２は、図１に示した本発明を適用した電子カメラシステム（画像システム）のブロック構成図であり、画像データを伝送する通信媒体（図１の無線携帯電話回線１１０、無線基地局１２０、一般公衆電話回線１３０）は省略して示してある。図２において、電子カメラ１００は、画像データを生成する撮像回路１０１を備え、内蔵メモリ１０２に画像ファイル１０３とサムネイル画像ファイル１０４を格納しており、撮影および画像情報の表示および外部との通信を行う撮影表示通信手段１０５を備えている。画像ファイル１０３は撮像回路１０１により撮影された画像データおよび外部から受信した画像データの情報を含んでいる。サムネイル画像ファイル１０４は、電子カメラ１００から外部に送信された画像データのサムネイル画像データの情報含んでいる。
【００１７】個人用のパソコン１４０は、メモリ１４１に画像ファイル１４２を格納する。画像ファイル１４２は、電子カメラ１００から送信された画像データの情報を含んでいる。画像データベース１５０は、メモリ１５１に画像ファイル１５２を格納する。画像ファイル１５２は、電子カメラ１００から送信された画像データの情報を含んでいる。画像データベース１６０は、メモリ１６１に画像ファイル１５２を格納する。画像ファイル１６２は、電子カメラ１００から送信された画像データの情報を含んでいる。メモリカード１７０は、画像ファイル１７１とサムネイル画像ファイル１７２を格納する。画像ファイル１７１は電子カメラ１００により撮影された画像データの情報を含んでいる。サムネイル画像ファイル１７２は、電子カメラ１００から外部に送信された画像データのサムネイル画像データの情報含んでいる。
【００１８】以上のような構成において、
電子カメラ１００の撮像回路１０１によって撮影された画像データは一旦内蔵メモリ１０２に格納された後、パソコン１４０または画像データベース１５０または画像データベース１６０に送信され、記憶保存される
送信された画像データのサムネイル画像データおよび画像データの送信先を表す送信先情報および画像データを識別するための画像識別情報は、サムネイル画像ファイルに格納される
【００１９】
電子カメラ１００が外部に保存記憶された画像データを抽出して再生表示する場合には、まず撮影表示通信手段１０５は内蔵メモリ１０２からサムネイル画像ファイル１０４を読み込み、サムネイル画像データを表示する
ユーザーは該サムネイル画像データを参照して、所望の画像データを選択する
撮影表示通信手段１０５は、選択された画像データに関連付けて保存されている送信先情報に基づいて該送信先の画像データベースのメモリにアクセスし、選択された画像データの画像識別情報に応じて該画像データベースのメモリから選択された画像データを受信し、該画像データを表示する
【００２０】上記のように電子カメラ１００の内蔵メモリ１０２に外部の画像データベースに送信した画像データのサムネイル画像データおよび画像データの送信先情報、画像識別情報を保存記憶しているので、画像再生のため所望の画像データを選択する際には、外部の画像データベースにアクセスすることなく電子カメラ１００単独で即サムネイル画像データの表示を行うことができるとともに、選択された画像データに関連した送信先情報と画像識別情報を用いて所望の画像データを、該画像データが保存されている画像データベースから一発で受信できるので、迅速な再生表示が可能となる。」
　　
「【００２９】図５は、図３および図４に示した電子カメラ１００の内部の電気構成例を示すブロック図であって、各構成要素は各種情報データおよび制御データを伝送するためのデータ／制御バス５１を介して互いに接続されている。
ＣＰＵ５０
は電子カメラ１００全体の制御を行う手段
電子カメラ１００の動作を行う
【００３０】電子カメラ１００が撮影モードに設定された場合には、被写体からの光束は撮影レンズ１０により光量調節のための絞り５３を介し、ＣＣＤ５５上に被写体像として形成される。複数の画素を備えたＣＣＤ５５（チャージカップルドデバイス）は被写体像を撮像するための電荷蓄積型イメージセンサーであり、ＣＣＤ５５上に形成された被写体像の光強度に応じた電気的な画像信号を出力する。ＤＳＰ５９（デジタルシグナルプロセッサ）は、ＣＣＤ５５に水平駆動パルスを供給するとともに、ＣＣＤ駆動回路５６を制御し、ＣＣＤ５５にＣＣＤ垂直駆動パルスを供給させる。
【００３１】画像処理部５７はＣＰＵ５０に制御され、ＣＣＤ５５が光電変換した画像信号を所定のタイミングでサンプリングし、そのサンプリングした信号を、所定のレベルに増幅する。ＣＰＵ５０は、ＲＯＭ６７（リードオンリメモリ）に記憶されている制御プログラムに従い各部を制御する。Ａ／Ｄ変換回路５８（アナログデジタル変換回路）は画像処理部５７でサンプリングした画像信号をデジタル化して画像データにし、ＤＳＰ５９に供給する。
【００３２】ＤＳＰ５９はＡ／Ｄ変換回路５８より供給された画像データをバッファメモリ６０に一旦記憶させる。ＣＰＵ５０はバッファメモリ６０に記憶された画像データをフレームメモリ６９に記憶させ、右ＬＣＤ２２、左ＬＣＤ２１に表示させる。なおバッファメモリ６０およびフレームメモリ６９はＤＲＡＭ（ダイナミックランダムアクセスメモリ）等の揮発性メモリにより構成される。
【００３３】またＣＰＵ５０はバッファメモリ６０に格納された画像データのコントラストから検出された被写体像の焦点調節状態に応じてレンズ駆動回路５２により撮影レンズ１０を自動焦点させる。ＥＥＰＲＯＭ６８（電気的消去書き込み可能ＲＯＭ）は不揮発性のメモリであって、電子カメラ１００の動作に必要な情報や、サムネイル画像ファイルを記憶する。
【００３４】測光回路１４は被写体の輝度を測定し、その測定結果である測光データをＣＰＵ５０に出力する。ＣＰＵ５０は測光データに応じて、ＣＣＤ５５の露光時間、感度をＣＣＤ駆動回路５６により設定するとともに、絞り５３の絞り値を絞り制御回路５４により制御する。ＣＰＵ５０は被写体が暗い場合には、撮影時にストロボ駆動回路７２によりストロボ１１を発光させる。
【００３５】マイクロフォン１３は被写体側または撮影者側から音声情報を入力し、その音声情報をＡ／ＤおよびＤ／Ａ回路７３（デジタルアナログ回路）に供給する。Ａ／ＤおよびＤ／Ａ回路７３は音声情報を音声データにデジタル化し、ＣＰＵ５０に出力する。
【００３６】ＧＰＳ回路６１（グローバルポジショニングシステム回路）は、地球の周りを周回している複数の衛星からの情報を用いて電子カメラ１００の位置情報（場所情報）を検出し、ＣＰＵ５０に供給する。姿勢検出回路６２は撮影時の電子カメラ１００の姿勢を検出するために周知の姿勢センサなどから構成され、姿勢情報をＣＰＵ５０に供給する。姿勢情報は撮影時に画面のどちらが天を向いているか（天地情報）を示す。
【００３７】タイマ７４は時計回路を内蔵し、現在の時刻に対応する時間情報をＣＰＵ５０に供給する。ＣＰＵ５０は電子カメラ１００の動作設定を行う場合は、上ＬＣＤ２０、右ＬＣＤ２２、左ＬＣＤ２１に動作情報を表示しながら、操作キー６５やタッチタブレット６６から入力される情報に基づいて動作設定を行う。
【００３８】電源スイッチ１６は電源制御のためにユーザーにより操作される操作部材であって、このスイッチの操作情報がＣＰＵ５０に供給される、ＣＰＵ５０はこの操作情報に応じて、電源制御回路６４により電子カメラシステムの電源６３のＯＮ／ＯＦＦ制御を行う。
【００３９】以上のような構成において
ＣＰＵ５０は画像撮影時（レリーズボタン１５が操作された場合）には、バッファメモリ６０に記憶された画像データと該画像データを識別するための画像名情報（ファイル名等）を、無線通信回路７１により無線通信回線を通じて指定された外部の画像データベースに転送して
画像識別情報として画像ファイルの一部に記憶させる
【００４０】また
ＣＰＵ５０は画像撮影時の
時間情報を無線通信回路７１により無線通信回線を通じて外部の画像データベースに上記画像データとともに転送し、画像識別情報として画像ファイルの一部に記憶させる
【００４１】また
ＣＰＵ５０は撮影時の撮影条件
の撮影情報と撮影した電子カメラ１００を識別するためのカメラ個体識別情報
も無線通信回路７１により無線通信回線を通じて外部の画像データベースに送信し、画像識別情報として画像ファイルの一部に記憶させる
【００４２】またＣＰＵ５０は無線通信回路７１により無線通信回線を通じて外部の画像データベースと情報をやりとりし、上ＬＣＤ２０、右ＬＣＤ２２、左ＬＣＤ２１にそれらの情報を表示しながら、操作キー６５やタッチタブレット６６から入力される情報に基づいて画像データに関するキーワードやコメントあるいは電子カメラ１００のユーザーに関する情報を入力することも可能である。その場合ＣＰＵ５０はタッチタブレット６６から入力されるコメントあるいはキーワードのテキスト情報を無線通信回路７１により無線通信回線を通じて外部の画像データベースに送信し、画像識別情報として画像ファイルの一部に記憶させる。
【００４３】上記画像名情報、音声情報、場所情報、姿勢情報、時間情報、キーワード情報、コメント情報、撮影情報、カメラ個体識別情報、ユーザー情報は、画像データを識別するための画像識別情報であり、これにより例えば画像名が同一の画像データがあっても別な画像として画像データを識別することが可能になる。例えば画像名（画像ファイル名）には限りがあり、時として同一な画像名が与えられる場合があるが、同一な画像名の画像データでも、撮影時間、撮影したカメラ、撮影したユーザー、撮影した場所、キーワード等から異なる画像データとして識別することが可能になる。
【００４４】また
ＣＰＵ５０は、画像データのサムネイル画像データをバッファメモリ６０に格納された画像データから作成するとともに、作成したサムネイル画像データを画像名情報および送信先の画像データベースを識別するための送信先情報と関連付けてサムネイル画像ファイルとしてＥＥＰＲＯＭ６８に保存する
【００４５】なお
ＣＰＵ５０は、画像撮影時の
時間情報
カメラ個体識別情報
等の画像識別情報もサムネイル画像ファイルの一部として記憶させる
【００４６】
画像データを再生表示し鑑賞する場合には、ＣＰＵ５０はＥＥＰＲＯＭ６８に保存されているサムネイル画像ファイルからサムネイル画像データを
表示する
ＣＰＵ５０は
選択されたサムネイル画像データに基づき
それに対応する画像データの画像識別情報を
画像データベースに送信し、該画像データベースから前記画像識別情報に対応した画像データを供給してもらう
表示する
　　
「【００５０】図６〜図１２は図２に示す電子カメラシステム（画像システム）における、パソコン１４０、画像データベース１５０、画像データベース１６０および電子カメラ１００のメモリの構成を示す。図６はパソコン１４０、画像データベース１５０、画像データベース１６０のメモリ１４１、メモリ１５１、メモリ１６１の構成であって、ファイル配置テーブル（ＦＡＴ：ファイル　アロケーション　テーブル）と画像ファイルの大きく２つの部分から構成される。
【００５１】ＦＡＴはメモリ１４１、メモリ１５１、メモリ１６１内に格納される各画像ファイルの格納開始アドレスを示すファイルであって、図７に示すように画像ファイル（画像０００１．ｆｉｌ等）の格納開始アドレスが格納されている。画像ファイルは、図８に示すように、画像名情報データ、音声情報データ、場所情報データ、姿勢情報データ、時間情報データ、コメント情報データ、キーワード情報データ、撮影情報データ、カメラ個体識別情報データ、ユーザー情報データ、画像データからなる。
【００５２】撮影情報データは、図９に示すように、撮影時の各種カメラ設定情報が格納される。図１０は電子カメラ１００の内蔵メモリ１０２の構成であって、ファイル配置プログラム（ＦＡＴ）、画像ファイル、サムネイル画像ファイルの大きく３つの部分から構成される。なお電子カメラ１００に内蔵される内蔵メモリ１０２は記憶容量が限られているため、外部の画像データベースに送信した画像データは保存しない構成となっている。
【００５３】図１１に示すようにＦＡＴ（電子カメラ１００）は内蔵メモリ１０２内に格納される各ファイルの格納開始アドレスを示すファイルであって、外部の画像データベースから再生のために読み出された画像ファイル（画像００３３．ｆｉｌ等）の格納開始アドレス、サムネイル画像ファイル（画像１２３４．ｔｈｍ等）の格納開始アドレスが格納されている。
【００５４】サムネイル画像ファイルは、図１２に示すように、送信先情報データ、画像名情報データ、場所情報データ、姿勢情報データ、時間情報データ、コメント情報データ、キーワード情報データ、撮影情報データ、カメラ個体識別情報データ、ユーザー情報データ、アクセス回数情報データ、サムネイル画像データからなる。」
　　
「【図８】
」
　　
「【図９】
」
　　
「【図１２】
」
　　
（イ）刊行物１に記載された発明
　刊行物１には、電子カメラと、電子カメラと通信を行い、画像を保存する画像データベースから構成される画像システムが記載されている（段落【０００１】、【０００７】、【００１４】）。
　そして、刊行物１には、次のことが記載されている。
（あ）ＣＰＵ５０は電子カメラ１００全体の制御を行う手段であって、電子カメラ１００の動作を行う（段落【００２９】）。
（い）ＣＰＵ５０は画像撮影時には、バッファメモリ６０に記憶された画像データと該画像データを識別するための画像名情報（ファイル名等）、時間情報、撮影条件の撮影情報と撮影した電子カメラ１００を識別するためのカメラ個体識別情報等を、無線通信回路７１により無線通信回線を通じて指定された外部の画像データベースに転送して、画像識別情報として画像ファイルの一部に記憶させる（段落【００３９】〜【００４１】、【図８】）。
（う）ＣＰＵ５０は、画像データのサムネイル画像データをバッファメモリ６０に格納された画像データから作成するとともに、作成したサムネイル画像データを画像名情報、撮影時の時間情報、撮影情報、カメラ個体識別情報等の画像識別情報および送信先の画像データベースを識別するための送信先情報と関連付けてサムネイル画像ファイルとしてＥＥＰＲＯＭ６８に保存する（段落【００４４】〜【００４５】、【図１２】）。
（え）画像データを再生表示し鑑賞する場合には、ＣＰＵ５０はＥＥＰＲＯＭ６８に保存されているサムネイル画像ファイルにおけるサムネイル画像データを表示し、ＣＰＵ５０は選択されたサムネイル画像データに基づき、それに対応する画像データの画像識別情報を外部の画像データベースに送信し、該画像データベースから前記画像識別情報に対応した画像データを供給してもらい、表示する（段落【００４６】）。
　　
　ＣＰＵ５０は、電子カメラ１００全体の制御を行うものであり、電子カメラ１００の動作を行うものであり（上記（あ））、ＣＰＵ５０の動作は、電子カメラ１００の動作といえるから、上記のＣＰＵ５０は、電子カメラ１００と言い換えることができる。
　そして、上記（い）は、電子カメラ１００と画像データベースの動作の記載であるが、電子カメラの動作と画像データベースの動作に分けると次のとおりである。
（い−１）電子カメラ１００は、画像撮影時には、バッファメモリ６０に記憶された画像データと該画像データを識別するための画像名情報（ファイル名等）、時間情報、撮影条件の撮影情報と撮影した電子カメラ１００を識別するためのカメラ個体識別情報等を、無線通信回路７１により無線通信回線を通じて指定された外部の画像データベースに転送する。
（い−２）画像データベースは、電子カメラ１００から転送された画像データと該画像データを識別するための画像名情報（ファイル名等）、時間情報、撮影条件の撮影情報と撮影した電子カメラ１００を識別するためのカメラ個体識別情報等を識別情報として画像ファイルの一部に記憶させる。
　さらに、上記（え）は、電子カメラ１００として記載されているが、この記載から、画像データベースの動作は、「電子カメラから画像識別情報を受信し、受信した画像識別情報に対応した画像データを電子カメラ１００に送信する」ものと認められる。したがって、上記（え）の記載を、電子カメラの動作と画像データベースの動作に分けると次のとおりである。
（え−１）画像データを再生表示し鑑賞する場合には、電子カメラ１００は、ＥＥＰＲＯＭ６８に保存されているサムネイル画像ファイルにおけるサムネイル画像データを表示し、選択されたサムネイル画像データに基づき、それに対応する画像データの画像識別情報を外部の画像データベースに送信し、該画像データベースから前記画像識別情報に対応した画像データを供給してもらい、表示する。
（え−２）画像データベースは、電子カメラから画像識別情報を受信し、受信した画像識別情報に対応した画像データを電子カメラ１００に送信する。
　　
　そうすると、電子カメラの動作は上記（い−１）、（う）、（え−１）のとおりであり、画像データベースの動作は上記（い−２）、（え−２）のとおりであるから、刊行物１には、次の発明（以下「刊行物１発明」という。）が記載されていると認められる。
　　
（刊行物１発明）
（ａ）電子カメラと、電子カメラと通信を行い、画像を保存する画像データベースから構成される画像システムであって、
（ｂ１）電子カメラ１００は、画像撮影時には、バッファメモリ６０に記憶された画像データと該画像データを識別するための画像名情報（ファイル名等）、時間情報、撮影条件の撮影情報と撮影した電子カメラ１００を識別するためのカメラ個体識別情報等を、無線通信回路７１により無線通信回線を通じて指定された外部の画像データベースに転送し、
（ｂ２）電子カメラ１００は、画像データのサムネイル画像データをバッファメモリ６０に格納された画像データから作成するとともに、作成したサムネイル画像データを画像名情報、撮影時の時間情報、撮影情報、カメラ個体識別情報等の画像識別情報および送信先の画像データベースを識別するための送信先情報と関連付けてサムネイル画像ファイルとしてＥＥＰＲＯＭ６８に保存し、
（ｂ３）電子カメラ１００は、画像データを再生表示し鑑賞する場合には、ＥＥＰＲＯＭ６８に保存されているサムネイル画像ファイルにおけるサムネイル画像データを表示し、選択されたサムネイル画像データに基づき、それに対応する画像データの画像識別情報を外部の画像データベースに送信し、該画像データベースから前記画像識別情報に対応した画像データを供給してもらい、表示し、
（ｃ１）画像データベースは、電子カメラ１００から転送された画像データと該画像データを識別するための画像名情報（ファイル名等）、時間情報、撮影条件の撮影情報と撮影した電子カメラ１００を識別するためのカメラ個体識別情報等を画像識別情報として画像ファイルの一部に記憶させ、
（ｃ２）画像データベースは、電子カメラから画像識別情報を受信し、受信した画像識別情報に対応した画像データを電子カメラ１００に送信する、
（ｄ）画像システム。
　　
（（ａ）〜（ｄ）は当審で付与した。以下各構成を「構成ａ」等という。）
　　
イ　刊行物２の記載
　原査定の拒絶の理由に引用された特開２００５−２２３７９５号公報（上記引用文献２、以下「刊行物２」という。）には、「画像撮像装置、画像編集システム及び画像編集方法」（発明の名称）に関し、図面と共に次に掲げる事項が記載されている（下線は当審で付与した。）。
　　
「【００５２】
　この静止画と動画が混在して撮影した場合は、静止画については上記実施例１と同様に、カメラ１側の第一メモリ２に高画質データ及び縮小データとアドレス情報（第１の編集情報）が記録され、
動画についてはその動画を構成する各コマの高画質データとその縮小データ及び各コマ毎のアドレス情報が記録される
　【００５３】
　
この動画の縮小データについては、フレームレートを落とす方法を用いてもよく
　　
「【００６１】
　図８（ａ）は、まず図７のように撮影された静止画と動画の縮小データをカメラ１の表示部１１にサムネイル表示した状態であり、撮影順に１は静止画、２は動画、３、４、５は静止画、６は動画、７は静止画、８は動画、９は静止画で、各動画は最初のコマが表示され、かつ動画であることを示す「Ｍ」が表示されている。」
　　
「【００７１】
　なお、動画の縮小データが全コマに対して作成されない場合、例えば、
一連の動画データの最初の１コマの画像にのみ縮小データが作成される
　　
（５）対比
ア　補正後発明と刊行物１発明との対比
（ア）構成要件Ａと構成ａとを対比する。
　刊行物１発明における「電子カメラ１００」、「画像データベース」は、補正後発明における「画像の撮影を行う撮像部を備えた端末」、「サーバー」に相当する。
　刊行物１発明における「画像システム」は、構成ｃ１において、「画像データベース」において「画像ファイル」を記憶するから、「ファイル記憶システム」といえる。
　したがって、補正後発明と刊行物１発明とは、「画像の撮影を行う撮像部を備えた端末と、前記端末と通信を行うサーバーとを有するファイル記憶システム」として一致する。
　　
（イ）構成要件Ｂ１及びＢ３と構成ｂ１とを対比する。
　刊行物１発明における「バッファメモリ６０」は、補正後発明の「情報を一時的に記憶する一時記憶部」に相当する。刊行物１発明においては「情報を一時的に記憶する一時記憶部に前記撮像部によって撮影された前記画像の画像データが記憶され」る点で補正後発明と共通するものの、「画像データ」が、補正後発明においては「画像ファイル」であるのに対し、刊行物１発明においては「画像ファイル」と特定されていない点で相違する。
　構成ｂ１における「該画像データを識別するための画像名情報（ファイル名等）、時間情報、撮影条件の撮影情報と撮影した電子カメラ１００を識別するためのカメラ個体識別情報等」は、構成ｃ１において「画像識別情報」として画像ファイルの一部に記憶されるから、「画像識別情報」といえる。そして、刊行物１発明は、構成ｂ１において、画像撮影時には、バッファメモリに記憶された画像データと「画像識別情報」を画像データベースに転送するから、バッファメモリから画像データを取得し、「画像識別情報」を生成しているといえ、該「画像識別情報」は、「前記撮像部によって撮影された前記画像を一意に識別する識別情報」といえる。
　構成ｂ１における「時間情報」は、電子カメラにおいては通常撮影した年月日時刻であるから、補正後発明における「前記撮像部によって撮影された前記画像の撮影年月日及び時刻」に相当し、構成ｂ１における「カメラ個体識別情報」は、補正後発明における「前記端末を識別する情報」に相当する。そうすると、刊行物１発明は、「前記撮像部によって撮影された前記画像を一意に識別する識別情報として、前記撮像部によって撮影された前記画像の撮影年月日及び時刻と前記端末を識別する情報と
からなる
からなる
　さらに、補正後発明においては、画像ファイルを取得するタイミングが「情報を一時的に記憶する一時記憶部に前記撮像部によって撮影された前記画像の画像ファイルが記憶されたことを検知した場合」であるのに対し、刊行物１発明においては、そのように特定されていない点で相違する。
　また、刊行物１発明は、構成ｂ１において、画像撮影時には、バッファメモリに記憶された画像データと「画像識別情報」を画像データベースに転送するから、「前記一時記憶部から取得した前記画像データと前記識別情報とを前記サーバーへ送信」する点で、補正後発明と共通する。そして、「画像データ」における相違については上記のとおりである。
　以上まとめると、補正後発明と刊行物１発明とは、
「前記端末は、情報を一時的に記憶する一時記憶部に前記撮像部によって撮影された前記画像の画像データを記憶し、前記一時記憶部から前記画像データを取得し、前記撮像部によって撮影された前記画像を一意に識別する識別情報として、前記撮像部によって撮影された前記画像の撮影年月日及び時刻と前記端末を識別する情報とからなる情報を生成し、」
「前記一時記憶部から取得した前記画像データと前記識別情報とを前記サーバーへ送信」
する点で一致する。
　しかしながら、
　「画像データ」が、補正後発明においては「画像ファイル」であるのに対し、刊行物１発明においては「画像ファイル」と特定されていない点（相違点１）で相違し、
　「前記撮像部によって撮影された前記画像の撮影年月日及び時刻と前記端末を識別する情報とからなる情報を生成」するにおける「・・・とからなる情報」が、補正後発明においては「組み合わせた」情報であるのに対し、刊行物１発明においては「組み合わせた」情報ではない点（相違点２）で相違し、
　画像データを取得するタイミングが、補正後発明においては、「情報を一時的に記憶する一時記憶部に前記撮像部によって撮影された前記画像の画像ファイルが記憶されたことを検知した場合」であるのに対し、刊行物１発明においては、そのように特定されていない点（相違点３）で相違する。
　　
（ウ）構成要件Ｂ２と構成ｂ２とを対比する。
　刊行物１発明における「ＥＥＰＲＯＭ６８」は、補正後発明における「記憶部」に相当する。
　「画像データ」における相違については上記（イ）のとおりである。
　刊行物１発明は、「画像データのサムネイル画像データをバッファメモリ６０に格納された画像データから作成するとともに、作成したサムネイル画像データを・・・画像識別情報・・・と関連付けてサムネイル画像ファイルとしてＥＥＰＲＯＭ６８に保存」するから、「前記一時記憶部から取得した前記画像データに基づき、当該画像データよりもサイズの小さな小容量情報のサムネイル画像のサムネイル画像データを生成し、該生成されたサムネイル画像データと、前記識別情報とを対応付けて記憶部に記憶する」点で、補正後発明と共通する。
　しかしながら、補正後発明においては、「前記一時記憶部から取得した前記画像ファイルの前記画像が動画像である場合は、当該動画像よりも単位時間当たりの画面の更新回数を少なくした動画像、当該動画像の最初の画像を示す静止画像、当該動画像の表示サイズを小さくした動画像、をサムネイル画像とした前記サムネイル画像ファイルを生成」するのに対し、刊行物１発明においては、画像が動画像である場合におけるサムネイル画像について特定されていない点（相違点４）で相違する。
　　
（エ）構成要件Ｂ４と構成ｂ３とを対比する。
　刊行物１発明は、「サムネイル画像データを表示し、選択されたサムネイル画像データに基づき、それに対応する画像データの画像識別情報を外部の画像データベースに送信」するから、「その後、前記サムネイル画像の選択を受け付けると、該選択された前記サムネイル画像の前記サムネイル画像データと対応付けられた前記識別情報を前記サーバーへ送信」する点で、補正後発明と共通する。
　そして、「画像データ」における相違については上記（イ）のとおりである。
　　
（オ）構成要件Ｃ１と構成ｃ１とを対比する。
　刊行物１発明は、「画像データベースは、電子カメラ１００から転送された画像データと該画像データを識別するための画像名情報（ファイル名等）、時間情報、撮影条件の撮影情報と撮影した電子カメラ１００を識別するためのカメラ個体識別情報等を画像識別情報として画像ファイルの一部に記憶させ」るものであり、電子カメラ１００から転送された画像データと画像識別情報は、「端末」から送信され、受信されたものといえるから、「前記サーバーは、前記端末から送信された前記画像データと前記識別情報とを受信すると、該受信した前記画像データと前記識別情報とを対応付けて記憶」する点で共通する。
　そして、「画像データ」における相違については上記（イ）のとおりである。
　　
（カ）構成要件Ｃ２と構成ｃ２とを対比する。
　刊行物１発明は、「画像データベースは、電子カメラ１００から画像識別情報を受信し、受信した画像識別情報に対応した画像データを電子カメラ１００に送信する」から、「前記端末から送信された前記識別情報を受信すると、該受信した前記識別情報に対応する前記画像データを当該端末へ送信」する点で、補正後発明と共通する。
　そして、「画像データ」における相違については上記（イ）のとおりである。
　　
（キ）構成要件Ｄについて
　刊行物１発明においては、通信は赤外線通信ではない。
　したがって、「通信」が、補正後発明においては「赤外線通信」であるのに対し、刊行物１発明においては「赤外線通信」でない点（相違点５）で相違する。
　　
（サ）構成要件Ｅと構成ｄとを対比すると、上記（ア）のとおり、「ファイル記憶システム」として一致する。
　　
イ　一致点、相違点
　以上より、補正後発明と刊行物１発明の一致点、相違点は次のとおりである。
　　
（一致点）
　画像の撮影を行う撮像部を備えた端末と、前記端末と通信を行うサーバーとを有するファイル記憶システムであって、
　前記端末は、情報を一時的に記憶する一時記憶部に前記撮像部によって撮影された前記画像の画像データを記憶し、前記一時記憶部から前記画像データを取得し、前記撮像部によって撮影された前記画像を一意に識別する識別情報として、前記撮像部によって撮影された前記画像の撮影年月日及び時刻と前記端末を識別する情報とからなる情報を生成し、
　さらに、前記一時記憶部から取得した前記画像データに基づき、当該画像データよりもサイズの小さな小容量情報のサムネイル画像のサムネイル画像データを生成し、該生成されたサムネイル画像データと、前記識別情報とを対応付けて記憶部に記憶するとともに、
　前記一時記憶部から取得した前記画像データと前記識別情報とを前記サーバーへ送信し、
　その後、前記サムネイル画像の選択を受け付けると、該選択された前記サムネイル画像の前記サムネイル画像データと対応付けられた前記識別情報を前記サーバーへ送信し、
　前記サーバーは、前記端末から送信された前記画像データと前記識別情報とを受信すると、該受信した前記画像データと前記識別情報とを対応付けて記憶し、
　前記端末から送信された前記識別情報を受信すると、該受信した前記識別情報に対応する前記画像データを当該端末へ送信する、
　ファイル記憶システム。
　　
（相違点１）
「画像データ」が、補正後発明においては「画像ファイル」であるのに対し、刊行物１発明においては「画像ファイル」と特定されていない点
　　
（相違点２）
「前記撮像部によって撮影された前記画像の撮影年月日及び時刻と前記端末を識別する情報とからなる情報を生成」するにおける「・・・とからなる情報」が、補正後発明においては「組み合わせた」情報であるのに対し、刊行物１発明においては「組み合わせた」情報ではない点
　　
（相違点３）
　画像データを取得するタイミングが、補正後発明においては、「情報を一時的に記憶する一時記憶部に前記撮像部によって撮影された前記画像の画像ファイルが記憶されたことを検知した場合」であるのに対し、刊行物１発明においては、そのように特定されていない点
　　
（相違点４）
　補正後発明においては、「前記一時記憶部から取得した前記画像ファイルの前記画像が動画像である場合は、当該動画像よりも単位時間当たりの画面の更新回数を少なくした動画像、当該動画像の最初の画像を示す静止画像、当該動画像の表示サイズを小さくした動画像、をサムネイル画像とした前記サムネイル画像ファイルを生成」するのに対し、刊行物１発明においては、画像が動画像である場合におけるサムネイル画像について特定されていない点
　　
（相違点５）
　「通信」が、補正後発明においては「赤外線通信」であるのに対し、刊行物１発明においては「赤外線通信」でない点
　　
（６）相違点の判断等 
ア　相違点１について
　データを記憶する際に、ファイルとして記憶することは普通のことであるから、刊行物１発明において「画像データ」をファイルとして記憶することは当業者が容易に想到し得ることであり、ファイルとして記憶された画像データは「画像ファイル」といえる。
　　
イ　相違点２について
　画像の識別情報として、「前記撮像部によって撮影された前記画像の撮影年月日及び時刻と前記端末を識別する情報とを組み合わせた情報」を用いることは、周知技術（例えば、特開２００７−２１９７１３号公報段落【００８１】、特開２００８−１６０７３６号公報段落【０００３】、特開２００８−２１９０９１号公報【００２７】、特開２００７−６６０６１号公報段落【００２６】、特開２００４−４０１８２号公報段落【００３０】等参照）である。
　そうすると、刊行物１発明における「画像識別情報」として「前記撮像部によって撮影された前記画像の撮影年月日及び時刻と前記端末を識別する情報とを組み合わせた情報」を用いることは当業者が容易に想到し得ることである。
　　
ウ　相違点３について
　特開２００６−１３４０３７号公報（以下「刊行物３」という。）の段落【００２６】〜【００２７】には、次の記載がある。
「図２において、まず、デジタルカメラ１０２が被写体を撮影し（ステップＳ２０１）、この撮影により横３２００、縦１６００画素、各画素あたり１６ビットの画像データ（以下「大画像データ」という。）を生成して（ステップＳ２０２）、この生成された大画像データを一時記憶メモリに保存する（ステップＳ２０３）。
　次に、ステップＳ２０３で保存された大画像データ（図６の大画像データ３００）から縦横１／４に間引いた小画像データ（図６の小画像データ３０４）（第１のサムネイル画像）を生成し（ステップＳ２０４、図６）（第１のサムネイル画像作成手段）、これを不揮発性メモリに保存する（ステップＳ２０５）。」
　上記記載のデジタルカメラは、撮影により画像データを生成し、一時記憶メモリに保存し、保存された画像データからサムネイル画像を生成し、不揮発性メモリに保存するものである（以下「刊行物３発明」という。）。
　刊行物１発明における「電子カメラ１００」に上記デジタルカメラを適用することは当業者が容易に着想することであり、適用することにより、「電子カメラ１００」は、撮影により画像データを生成し、一時記憶メモリに保存し、保存された画像データからサムネイル画像を生成するから、一時記憶メモリから画像データを取得するタイミングは、一時記憶メモリに画像データが記憶された時となる。
　そうすると、刊行物１発明に刊行物３発明を適用して、画像データを取得するタイミングを「情報を一時的に記憶する一時記憶部に前記撮像部によって撮影された前記画像の画像ファイルが記憶されたことを検知した場合」とすることは、当業者が容易に想到し得ることである。
　　
エ　相違点４について
　刊行物１の図９に示されている「撮影情報データ」には、「動画／静止画」の項目があり、刊行物１には、動画を撮影することが示唆されているといえる。
　そして、刊行物２に示されているように動画におけるサムネイル画像としては、「動画を構成する各コマの縮小データ」（上記（４）イの段落【００５２】）、「フレームレートを落とした縮小データ」（上記（４）イの段落【００５３】）、「動画データの最初の１コマの画像のみの縮小データ」（上記（４）イの段落【００７１】）がある。ここで、「動画を構成する各コマの縮小データ」は、補正後発明における「当該動画像の表示サイズを小さくした動画像」に相当し、「フレームレートを落とした縮小データ」は、補正後発明における「動画像よりも単位時間当たりの画面の更新回数を少なくした動画像」に相当し、「動画データの最初の１コマの画像のみの縮小データ」は、補正後発明における「当該動画像の最初の画像を示す静止画像」に相当する。
　そうすると、刊行物１発明において、動画を撮影するようにすることは、当業者が容易に着想することであり、その際、刊行物２に記載された技術事項を勘案し、サムネイル画像を「当該動画像の表示サイズを小さくした動画像」、「動画像よりも単位時間当たりの画面の更新回数を少なくした動画像」、「当該動画像の最初の画像を示す静止画像」とすることは、当業者が容易に想到し得ることである。
　　
オ　相違点５について
　赤外線通信は、周知技術（例えば、特開２００８−３１１７２５号公報（上記引用文献３）段落【００６９】、特開２００８−１０４１４７号公報（上記引用文献４）段落【００３０】等参照）であるから、刊行物１発明において、「通信」を「赤外線通信」とすることは、当業者が容易に想到し得ることである。
　　
カ　そして、補正後発明が奏する効果は、その容易想到である構成から当業者が容易に予測し得る範囲内のものであり、同範囲を超える顕著なものでもない。
　　
キ　したがって、補正後発明は、刊行物１、刊行物２及び刊行物３に記載された発明及び周知技術に基づいて当業者が容易に発明することができたものであるから、特許法２９条第２項の規定により特許出願の際独立して特許を受けることができない。 
　よって、本件補正は、特許法第１７条の２第６項において準用する同法第１２６条第７項の規定に違反している。
 　 
３　まとめ 
　したがって、本件補正は、特許法第１７条の２第６項において準用する同法第１２６条第７項の規定に違反するので、同法第１５９条第１項において読み替えて準用する同法第５３条第１項の規定により却下すべきものである。
　よって、補正却下の決定の結論のとおり決定する。
 　 
第３　本願発明について 
１　本願発明 
　平成２７年１月２３日付けの手続補正は、上記のとおり却下されたので、本願の請求項１〜１２に係る発明は、平成２６年８月１日付け手続補正により補正された明細書、特許請求の範囲及び図面の記載からみて、その特許請求の範囲の請求項１〜１２に記載した事項により特定されるとおりのものであるところ、請求項１に係る発明は、次のとおりのものである（この発明を以下「本願発明」という。）。
　　
（本願発明）
（Ａ）画像の撮影を行う撮像部を備えた端末と、前記端末と通信を行うサーバーとを有するファイル記憶システムであって、
（Ｂ１’）前記端末は、前記撮像部によって撮影された画像を一意に識別する識別情報として、前記撮像部によって撮影された画像の撮影年月日及び時刻と前記端末を識別する情報とを組み合わせた情報を生成し、
（Ｂ２’）さらに、当該画像を示す画像ファイルに基づき、当該画像ファイルよりもファイルサイズの小さな小容量情報を示す小容量情報ファイルを生成し、該生成された小容量情報ファイルと、前記識別情報とを対応付けて記憶するとともに、
（Ｂ３’）前記画像ファイルと前記識別情報とを前記サーバーへ送信し、
（Ｂ４’）その後、前記小容量情報の選択を受け付けると、該選択された前記小容量情報を示す小容量情報ファイルと対応する前記識別情報を前記サーバーへ送信し、
（Ｃ１）前記サーバーは、前記端末から送信された前記画像ファイルと前記識別情報とを受信すると、該受信した前記画像ファイルと前記識別情報とを対応付けて記憶し、
（Ｃ２）その後、前記端末から送信された前記識別情報を受信すると、該受信した前記識別情報に対応する前記画像ファイルを当該端末へ送信し、
（Ｄ）前記端末と前記サーバーとの間の通信が赤外線通信である、
（Ｅ）ファイル記憶システム。
　　
（（Ａ）〜（Ｅ）は当審で付与した。補正後発明と同じ構成要件には同じ符号を付与した。（Ｂ１’）〜（Ｂ４’）は構成要件Ｂ１〜Ｂ４に対応するものの、構成要件Ｂ１〜Ｂ４と異なることを意味している。）
　　
２　対比
　本願発明は、補正後発明の構成要件Ｂ１における「情報を一時的に記憶する一時記憶部に前記撮像部によって撮影された前記画像の画像ファイルが記憶されたことを検知した場合に、前記一時記憶部から前記画像ファイルを取得し、」の限定（上記相違点３）がなく、補正後発明の構成要件Ｂ２における「前記一時記憶部から取得した前記画像ファイルの前記画像が動画像である場合は、当該動画像よりも単位時間当たりの画面の更新回数を少なくした動画像、当該動画像の最初の画像を示す静止画像、当該動画像の表示サイズを小さくした動画像、をサムネイル画像とした前記サムネイル画像ファイルを生成し、」の限定（上記相違点４）がなく、「小容量情報のサムネイル画像のサムネイル画像ファイル」が「小容量情報ファイル」である。
　さらに、本願発明は、補正後発明の構成要件Ｂ３の「前記一時記憶部から取得した前記画像ファイル」が「前記画像ファイル」であり（この相違は、上記構成要件Ｂ１における相違に伴うものである。）、補正後発明の構成要件Ｂ４の「前記サムネイル画像」、「該選択された前記サムネイル画像の前記サムネイル画像ファイル」が、それぞれ「前記小容量情報」、「該選択された前記小容量情報を示す小容量情報ファイル」である（この相違は、上記構成要件Ｂ２における相違に伴うものである）。
　刊行物１発明は、上記第２の２（４）ア（イ）の刊行物１発明を援用する。
　構成要件Ｂ１’と構成ｂ１とを対比すると、上記第２の２（５）ア（イ）の相違点２と同じ相違がある。
　構成要件Ｂ２’と構成ｂ２とを対比すると、「画像データ」が、本願発明においては「画像ファイル」であるのに対し、刊行物１発明においては「画像ファイル」と特定されていない点で相違し、「小容量情報データ」が、本願発明においては「小容量情報ファイル」であるのに対し、刊行物１発明においては「小容量情報ファイル」と特定されていない点で相違する。
　その他の点は上記第２の２（５）の対比を援用する。
　そうすると、本願発明と刊行物１発明との一致点、相違点は次のとおりである。
　　
（一致点）
　画像の撮影を行う撮像部を備えた端末と、前記端末と通信を行うサーバーとを有するファイル記憶システムであって、
　前記端末は、前記撮像部によって撮影された画像を一意に識別する識別情報として、前記撮像部によって撮影された画像の撮影年月日及び時刻と前記端末を識別する情報とからなる情報を生成し、
　さらに、当該画像を示す画像データに基づき、当該画像データよりもファサイズの小さな小容量情報を示す小容量情報データを生成し、該生成された小容量情報データと、前記識別情報とを対応付けて記憶するとともに、
　前記画像データと前記識別情報とを前記サーバーへ送信し、
　その後、前記小容量情報の選択を受け付けると、該選択された前記小容量情報を示す小容量情報データと対応する前記識別情報を前記サーバーへ送信し、
　前記サーバーは、前記端末から送信された前記画像データと前記識別情報とを受信すると、該受信した前記画像データと前記識別情報とを対応付けて記憶し、
　その後、前記端末から送信された前記識別情報を受信すると、該受信した前記識別情報に対応する前記画像データを当該端末へ送信し、
　前記端末と前記サーバーとの間の通信が赤外線通信である、
　ファイル記憶システム。
　　
（相違点１）
　「前記撮像部によって撮影された前記画像の撮影年月日及び時刻と前記端末を識別する情報とからなる情報を生成」するにおける「・・・とからなる情報」が、本願発明においては「組み合わせた」情報であるのに対し、刊行物１発明においては「組み合わせた」情報ではない点
　　
（相違点２）
　「画像データ」が、補正後発明においては「画像ファイル」であるのに対し、刊行物１発明においては「画像ファイル」と特定されていない点
　　
（相違点３）
　「小容量情報データ」が、本願発明においては「小容量情報ファイル」であるのに対し、刊行物１発明においては「小容量情報ファイル」と特定されていない点
　　
（相違点４）
　「通信」が、補正後発明においては「赤外線通信」であるのに対し、刊行物１発明においては「赤外線通信」でない点
　　
３　判断
（１）相違点１について
　相違点１は、上記第２の２（５）イの相違点２と同じであるから、上記第２の２（６）イの判断を援用する。
　　
（２）相違点２について
　相違点２は、上記第２の２（５）イの相違点１と同じであるから、上記第２の２（６）アの判断を援用する。
　　
（３）相違点３について
　データを記憶する際に、ファイルとして記憶することは普通のことであるから、刊行物１発明において「小容量情報データ」であるサムネイル画像データをファイルとして記憶することは当業者が容易に想到し得ることであり、ファイルとして記憶されて小容量情報データは「小容量情報ファイル」といえる。
　　
（４）相違点４について
　相違点４は、上記第２の２（５）イの相違点５と同じであるから、上記第２の２（６）オの判断を援用する。
　　
（５）そして、本願発明が奏する効果は、その容易想到である構成から当業者が容易に予測し得る範囲内のものであり、同範囲を超える顕著なものでもない。
　　
（６）したがって、本願発明は、刊行物１に記載された発明及び周知技術に基づいて当業者が容易に発明することができたものと認められる。
　　
４　むすび 
　以上のとおり、本願の請求項１に係る発明は、刊行物１に記載された発明及び周知技術に基づいて、当業者が容易に発明することができたものであるから、特許法第２９条第２項の規定により特許を受けることができない。
　したがって、他の請求項に係る発明について検討するまでもなく、本願は拒絶されるべきものである。
　　
　よって、結論のとおり審決する。